(57)【要約】【課題】  雨樋の排水管内を実質的にタンク化せしめて、この排水管内の水が排水口部から自重で排水される際に発生する真空状の負圧力を利用して、集水口における木の葉や土等を強制的に引き込むことで詰まりを解消し、かかる作業を、梯子を使わずに地上で安全に行なえる雨樋の異物除去装置を提供することにある。【解決手段】  水道水等の給水口部に着脱自在に接続可能な入水口部２と、この入水口部２に連通して、雨樋１２の排水管１３下端の排水口部１３ａに着脱自在に接続可能な出水口部３を有している。【選択図】  図７
2005042463.tif 000002
【特許請求の範囲】
【請求項１】
水道水等の給水口部に着脱自在に接続可能な入水口部と、この入水口部に連通して、雨樋の排水管下端の排水口部に着脱自在に接続可能な出水口部を有していることを特徴とする雨樋の異物除去装置。
【請求項２】
出水口部を上動させて上方の排水口部に接続状態にロック可能、且つ、同接続状態から出水口部を下動させてロック解除可能な高さ調整部を有していることを特徴とする請求項１記載の雨樋の異物除去装置。
【発明の詳細な説明】
【技術分野】
【０００１】
本発明は雨樋の異物除去装置に関し、主に軒先の雨樋に発生し易い木の葉や土等による詰まりを解消するのに好適な異物除去装置に関する。
【背景技術】
【０００２】
雨樋が詰まる主な原因は、木の葉や土等が雨樋の集水口を塞ぐことによるものであり、これを解消するためには集水口を太い針金等で突くなどして詰まりをなくしている。ところが、頭上の雨樋おける集水口を下から突くのは目見当にならざるを得ないだけに的確に行なえず手間がかかるものである。また、詰まりが解消されたか否かは作業を降雨中に行なわなければ確認することもできない。この点、梯子を使えば難なく行なえることであるが、梯子を用意する必要があること、梯子を上り下りできること等の条件があり、何人でもできることではない。
そのため、集水口が詰まらぬように様々な提案（例えば特許文献１）がなされているが、落ち葉等の木の葉や土埃による土に対して有効な対策は未だ出現していない。
【特許文献１】特許第３２６２３１７号
【発明の開示】
【発明が解決しようとする課題】
【０００３】
解決しようとする課題は、第1には、雨樋の排水管内を実質的にタンク化せしめて、この排水管内の水が排水口部から自重で排水される際に発生する真空状の負圧力を利用して、集水口における木の葉や土等を強制的に引き込むことで詰まりを解消し、かかる作業を、梯子を使わずに地上で安全に行なえる雨樋の異物除去装置を、第２には、さらに、雨樋の排水管下端における排水口部への着脱を確実且つ容易に行える雨樋の異物除去装置を提供することにある。
【課題を解決するための手段】
【０００４】
本発明は前記した課題を達成するため、以下の構成にしたことを特徴とする。
１．水道水等の給水口部に着脱自在に接続可能な入水口部と、この入水口部に連通して、雨樋の排水管下端の排水口部に着脱自在に接続可能な出水口部を有していることを特徴とする。
２．前記した１において、出水口部を上動させて上方の排水口部に接続状態にロック可能、且つ、同接続状態から出水口部を下動させてロック解除可能な高さ調整部を有していることを特徴とする。
【発明の効果】
【０００５】
Ａ．請求項１により、雨樋の排水管内を実質的にタンク化せしめて、この排水管内の水が排水口部から自重で排水される際に発生する真空状の負圧力を利用して、集水口における木の葉や土等を強制的に引き込むことで詰まりを解消することができ、そして、かかる作業を、梯子を使わずに地上で安全に行なうことができる。
Ｂ．請求項２により、さらに、雨樋の排水管下端における排水口部への着脱を確実且つ容易に行うことができる。
【発明を実施するための最良の形態】
【０００６】
装置本体は、市販品を組み合わせて形成しても良く、入水口部と出水口部が連通している態様のものであれば良いし、材質は金属製或いは合成樹脂製等のものになるが、これに限定されない。
入水口部は、庭の散水栓等に接続されたホース端部（給水口部）がワンタッチで着脱自在に接続可能な公知の口部構造のものであっても良いし、或いは、散水栓の蛇口（給水口部）に着脱自在に接続可能なホース端部であっても良い。
出水口部は、樋の排水管下端の下向き開口状或いは横向き開口状等の排水口部に着脱自在且つ隙間なく密嵌状に接続可能な構造、形状のものであれば良い。
高さ調整部は、出水口部自体を上下に高さ調整して排水口部に着脱自在にしてある態様でも良いし、脚部を上下に高さ調整することで、出水口部を排水口部に着脱自在にしてある態様のものでも良いし、脚部および出水口部自体を上下に高さ調整することで、出水口部を排水口部に着脱自在にしてある態様のものであっても良い。
【実施例１】
【０００７】
図１には本発明の雨樋の異物除去装置における実施の１形態を例示しており、装置本体１は略Ｌ型状のもので、横向き開口状の入水口部２は、後で説明するホース１５端部の接続具１６がワンタッチで着脱自在に接続可能に形成してある。この入水口部２と連通している上向き開口状の出水口部３は、口内面を上に向けて拡開したテーパー状に成形し、後で説明する排水管１３下端の排水口部１３ａに着脱自在且つ隙間なく密嵌状に接続可能に形成してある。
そして、装置本体１下面における出水口部３の下位には高さ調整部４を配設してある。この高さ調整部４は、装置本体１下面から垂下状の雌螺子部４ａに螺子脚部４ｂを螺合してあり、螺子脚部４ｂを回して上げ下げすることで、出水口部３が排水管１３下端の排水口部１３ａに隙間なく密嵌状に接続した状態或いは出水口部３が排水管１３下端の排水口部１３ａから離脱して外れた状態のいずれにも設定可能にしてある。
【実施例２】
【０００８】
図２および図３には本発明の雨樋の異物除去装置における実施の他の１形態を例示しており、構成は前記した図１の態様のものと高さ調整部の構成を除いて基本的に同一であるため、共通している構成の説明は省略し、相違する構成について説明する。
出水口部３は装置本体１と別体に成形してある。そして、この筒状の出水口部３下端における螺子孔部３ａは装置本体１上端の雄螺子部１ａに螺合せしめることで高さ調整部５としてあり、この高さ調整部５における出水口部３を回して上げ下げすることで、出水口部３が排水管１３下端の排水口部１３ａに隙間なく密嵌状に接続した状態或いは出水口部３が排水管１３下端の排水口部１３ａから離脱して外れた状態のいずれにも設定可能にしてある。
【実施例３】
【０００９】
図４には本発明の雨樋の異物除去装置における実施の他の１形態を例示しており、構成は前記した図１の態様のものと基本的に同一であるため、共通している構成の説明は省略し、相違する構成について説明する。
装置本体１は、装置本体１下面の高さ調整部４に加えて、図２における高さ調整部５を形成しており、この双方の高さ調整部４、５における螺子脚部４ｂおよび／または出水口部３を回して上げ下げすることで、出水口部３が排水管１３下端の排水口部１３ａに隙間なく密嵌状に接続した状態或いは出水口部３が排水管１３下端の排水口部１３ａから離脱して外れた状態のいずれにも設定可能にしてある。
【実施例４】
【００１０】
図５には本発明の雨樋の異物除去装置における実施の他の１形態を例示しており、構成は前記した図１の態様のものと基本的に同一であるため、共通している構成の説明は省略し、相違する構成について説明する。
装置本体１は、別体の出水口部３とヒンジ６を経て接続しており、両者の接合面１ｂ、３ｂは相互に適合するテーパー状に成形して密に接合可能にしてあると共に、パッキング７を介在させて接合面１ｂ、３ｂ間からの漏水がないようにし、高さ調整部４の螺子脚部４ｂを回して上げ下げすることで、出水口部３が排水管１３下端の排水口部１３ａに隙間なく密嵌状に接続した状態或いは出水口部３が排水管１３下端の排水口部１３ａから離脱して外れた状態のいずれにも設定可能にしてある。
また、出水口部３は排水管１３下端に接続した状態にビス８で固定可能にしてあり、この固定状態の出水口部３に対して装置本体１をヒンジ６の支軸６ａ回りに揺動させることで、両者の接合面１ｂ、３ｂ間が開かれて、実質的に出水口部３が排水管１３下端の排水口部１３ａから離脱して外れた開口状態に設定可能にしてある。
また、装置本体１における接合面１ｂ内方には逆止弁９を配設してあり、この逆止弁９は、排水管１３への送水を妨げない一方で装置本体１内への逆入を阻止することで、排水管１３内から雨水が散水栓１４側へ逆流しないようにしてあると共に、排水管１３および雨樋１２内に水が充満した状態に保ち、装置本体１の支軸６ａ回りの揺動操作による異物除去作業時に排水口部１３ａが全開されることで異物が流し出されるようにしてある。装置本体１の掛け具１０は排水管１３に絡めることで、装置本体１を前記した開口状態に仮止めし、排水管１３下端の排水口部１３ａが常時開口した通常の雨水排水状態に設定可能にしてある。
【実施例５】
【００１１】
図６には本発明の雨樋の異物除去装置における実施の他の１形態を例示しており、装置本体１は略Ｌ型状のもので、横向き開口状の入水口部２は、後で説明するホース１５端部の接続具１６がワンタッチで着脱自在に接続可能に形成してある。この入水口部２と連通している横向き開口状の出水口部３は、口内面を開口縁に向けて拡開したテーパー状に成形し、後で説明する排水管１３下端における横向き開口状の排水口部１３ａに着脱自在且つ隙間なく密嵌状に接続可能に形成してある。
この態様のものでは、異物除去時における排水を横向きに一方向に向けて誘導することになる。
【００１２】
図７には本発明における前記した図４の態様の異物除去装置を組み付けた使用例を示しており、建物１１の軒先の雨樋１２から垂下している排水管１３下端の排水口部１３ａに出水口部３を嵌め込むと共に、高さ調整部４すなわち螺子脚部４ｂを回して排水口部１３ａと出水口部３との間に隙間がないように密嵌状に接続する。この接続作業は高さ調整部５により行なっても良いし、双方により行なうようにしても良い。
入水口部２には、庭の散水栓１４の蛇口１４ａに接続されたホース１５端の接続具１６を押し込むことで接続し、雨樋１２内の木の葉や土等の異物の除去態勢を整える。
次に、散水栓１４を開き、装置本体１を経て排水管１３そして雨樋１２内に水を充満させる。この充満状態の確認は、雨樋１２からの溢水によって視認し、散水栓１４を閉じて給水を止める。
然る後、螺子脚部４ｂを逆回しすることで、排水管１３の排水口部１３ａから出水口部３を離脱させる。開口した排水口部１３ａからは排水管１３内の水が自重で勢いよく排水され、この排水に引き込まれるようにして雨樋１２内の水が木の葉および土等の異物とともに排水管１３内を落下して排水口部１３ａから流し出されることになる。前記した螺子脚部４ｂの逆回し操作は、雨樋１２内の土等が充分に軟らかく溶解した頃を見計らい行なうのが望ましい。また、出水口部３の離脱作業は、片手で出水口部３を排水口部１３ａに押し付けたまま、他方の手で螺子脚部４ｂを逆回し操作した後、出水口部３を排水口部１３ａから外すようにして行なうのが良い。
【００１３】
前記した図７では図４の異物除去装置を組み付けた使用例について示したが、これに準じて図１、図２、図５、図６の異物除去装置も組み付けられて使用されることになる。また、図６の異物除去装置において、排水管１３下端の排水口部１３ａが下向き開口状である場合、この排水口部１３ａにエルボ管１７を接続し、当該エルボ管１７に出水口部３を着脱自在且つ隙間なく密嵌状に接続可能にしても良い（図６参照）。また、図示していないが、排水口部１３ａが断面四角形状である場合、この排水口部１３ａに接続される出水口部３或いはエルボ管の口部も密嵌状に接続可能な断面四角形状のものになる。
【図面の簡単な説明】
【００１４】
【図１】本発明の雨樋の異物除去装置における実施の１形態を例示している正面図で一部切欠している。
【図２】本発明の雨樋の異物除去装置における実施の他の１形態を例示している正面図で一部切欠している。
【図３】分解斜視図。
【図４】本発明の雨樋の異物除去装置における実施の他の１形態を例示している正面図で一部切欠している。
【図５】本発明の雨樋の異物除去装置における実施の他の１形態を例示している正面図で一部切欠している。
【図６】本発明の雨樋の異物除去装置における実施の他の１形態を例示している斜視図。
【図７】図４の態様の異物除去装置を組み付けた使用例を示している正面図。
【符号の説明】
【００１５】
１  装置本体
１ａ  雄螺子部
１ｂ、３ｂ  接合面
２  入水口部
３  出水口部
３ａ  螺子孔部
４、５  高さ調整部
４ａ  雌螺子部
４ｂ  螺子脚部
６  ヒンジ
６ａ  支軸
７  パッキング
８  ビス
９  逆止弁
１０  掛け具
１１  建物
１２  雨樋
１３  排水管
１３ａ  排水口部
１４  散水栓
１４ａ  蛇口（給水口部）
１５  ホース
１６  接続具（給水口部）
１７  エルボ管
【図１】
2005042463.tif 000003
【図２】
2005042463.tif 000004
【図３】
2005042463.tif 000005
【図４】
2005042463.tif 000006
【図５】
2005042463.tif 000007
【図６】
2005042463.tif 000008
【図７】
2005042463.tif 000009